(57)【特許請求の範囲】
【請求項１】
棚上栽培空間に空間調整気体を供給する給気手段、及び、前記棚上栽培空間から空間内気体を排出する排気手段を備える植物栽培棚装置であって、
樹脂製の厚板状ブロック体で前記棚上栽培空間の天井部を形成し、
この厚板状ブロック体の面方向に延びる内部給気路及び内部排気路を前記厚板状ブロック体の内部に形成するとともに、
前記内部給気路と前記棚上栽培空間とを連通させる複数の天井給気孔、及び、前記内部排気路と前記棚上栽培空間とを連通させる複数の天井排気孔を、夫々、前記厚板状ブロック体の面方向に分散させて前記厚板状ブロック体に形成し、
前記給気手段は、前記内部給気路及び前記天井給気孔を通じて前記棚上栽培空間に空間調整気体を供給する構成にし、
前記排気手段は、前記内部排気路及び前記天井排気孔を通じて前記棚上栽培空間から空間内気体を排出する構成にしてある植物栽培棚装置。
【請求項２】
前記厚板状ブロック体を下側板状部分と上側板状部分とからなる二分割構造にし、
この下側板状部分に前記天井給気孔及び前記天井排気孔を形成し、
前記下側板状部分と前記上側板状部分とを結合して前記厚板状ブロック体を形成することにより前記内部給気路となる給気路用溝を、前記下側板状部分と前記上側板状部分とのいずれか一方又は両方に形成するとともに、
前記下側板状部分と前記上側板状部分とを結合して前記厚板状ブロック体を形成することにより前記内部排気路となる排気路用溝を、前記下側板状部分と前記上側板状部分とのいずれか一方又は両方に形成してある請求項１記載の植物栽培棚装置。
【請求項３】
前記厚板状ブロック体が発泡樹脂材からなる請求項１又は２記載の植物栽培棚装置。
【請求項４】
前記棚上栽培空間を設ける栽培棚を上下に複数段配設し、それら各段の栽培棚について、前記棚上栽培空間の天井部を前記厚板状ブロック体で形成し、
前記給気手段は、各段の栽培棚について前記厚板状ブロック体に形成した前記内部給気路及び前記天井給気孔を通じて前記棚上栽培空間に空間調整気体を供給する構成にし、
前記排気手段は、各段の栽培棚について前記厚板状ブロック体に形成した前記内部排気路及び前記天井排気孔を通じて前記棚上栽培空間から空間内気体を排出する構成にしてある請求項１〜３のいずれか１項に記載の植物栽培棚装置。
【請求項５】
前記厚板状ブロック体の下面部に、断面形状が下拡がり形状で前記棚上栽培空間に向かって下向きに開口する下向き凹部を形成し、
この下向き凹部の内部に栽培照明灯を配置するとともに、この下向き凹部の内面に光反射層を設けてある請求項１〜４のいずれか１項に記載の植物栽培棚装置。
【請求項６】
前記天井排気孔を前記下向き凹部の内部に開口させてある請求項５記載の植物栽培棚装置。
【請求項７】
前記棚上栽培空間の床部に棚上栽培槽を設け、
前記棚上栽培空間の両側部夫々で前記棚上栽培槽の側縁部と前記厚板状ブロック体の側縁部とにわたる縦壁部材を設けて、前記棚上栽培空間をトンネル状の空間にしてある請求項１〜６のいずれか１項に記載の植物栽培棚装置。
【請求項８】
前記棚上栽培空間の床部に棚上栽培槽を設け、
この棚上栽培槽に供給する栽培養液を冷却又は加熱する熱源手段を設けるとともに、
前記給気手段により前記棚上栽培槽に供給する空間調整気体を熱媒液と熱交換させて冷却又は加熱する気液熱交換器を設け、
前記棚上栽培槽に栽培養液を供給する給液手段は、前記熱源手段により冷却又は加熱した栽培養液を前記熱媒液として前記気液熱交換器に通過させて空間調整気体と熱交換させ、この熱交換後の栽培養液を前記棚上栽培槽に供給する構成にし、
前記給気手段は、前記気液熱交換器で栽培養液と熱交換した後の空間調整気体を前記棚上栽培槽に供給する構成にしてある請求項１〜７のいずれか１項に記載の植物栽培棚装置。
【請求項９】
複数の前記厚板状ブロック体をその面方向で一列状に連ねて、前記棚上栽培空間を前記厚板状ブロック体ごとの栽培領域に区分し、
前記気液熱交換器を前記栽培領域ごとに設け、
前記給液手段は、前記熱源手段により冷却又は加熱した栽培養液を複数の前記気液熱交換器に対して並列的に分配供給する構成にし、
前記給気手段は、前記気液熱交換器の夫々において冷却又は加熱した空間調整気体を対応栽培領域に対する前記厚板状ブロック体の前記内部給気路及び前記天井給気孔を通じて対応栽培領域に供給する構成にしてある請求項８記載の植物栽培棚装置。
【請求項１０】
前記棚上栽培槽を複数の前記栽培領域にわたらせて配設し、
前記給液手段は、前記気液熱交換器の夫々を通過した栽培養液を対応栽培領域において前記棚上栽培槽に供給する構成にしてある請求項９記載の植物栽培棚装置。
【請求項１１】
前記棚上栽培空間を設ける栽培棚を上下に複数段配設し、それら各段の栽培棚について前記棚上栽培空間を一列状に連ねた前記厚板状ブロック体ごとの前記栽培領域に区分し、
前記給気手段は、前記気液熱交換器の夫々において冷却又は加熱した空間調整気体を各段栽培棚の対応栽培領域に対する前記厚板状ブロック体の前記内部給気路及び前記天井給気孔を通じて各段栽培棚の対応栽培領域に分配供給する構成にし、
前記給液手段は、前記気液熱交換器の夫々を通過した栽培養液を各段栽培棚の対応栽培領域において各段栽培棚の前記棚上栽培槽に分配供給する構成にしてある請求項１０記載の植物栽培棚装置。
【請求項１２】
前記棚上栽培槽と前記厚板状ブロック体とがともに発泡樹脂材からなる請求項７〜１１のいずれか１項に記載の植物栽培棚装置。
【発明の詳細な説明】
【技術分野】
【０００１】
本発明は、種々の葉野菜などを棚上で栽培する植物栽培棚装置に関し、詳しくは、棚上栽培空間に空間調整気体を供給する給気手段、及び、棚上栽培空間から空間内気体を排出する排気手段を備える植物栽培棚装置に関する。
【背景技術】
【０００２】
従来、上記の如き植物栽培棚装置として、特許文献１に見られるように、上下複数段の栽培棚を収容する栽培室に二重壁構造の縦壁を設けて、この縦壁に多数の吹出口を形成し、また、栽培室における栽培棚どうしの間の室内領域に対して開口する排気口を天井に設けたものが提案されている。
【０００３】
即ち、この装置では、縦壁における二重壁間の隙間を給気路として、その壁間隙間及び縦壁における多数の吹出口を通じ空調空気（空間調整空気）を各段の栽培棚上の栽培空間に供給し、これに併行して、栽培室の室内空気を天井の排気口から排出するようにしている。
【先行技術文献】
【特許文献】
【０００４】
【特許文献１】特許第３７８７６５５号公報
【発明の概要】
【発明が解決しようとする課題】
【０００５】
上記した従来装置では、縦壁における多数の吹出口から各段栽培棚上の栽培空間に空調空気を供給するため、各段の棚上栽培空間に対して空調空気を均等に供給することができ、このことで棚上栽培空間における温度の調整状態（空調温度分布）を上段側から下段側にわたり高さ方向で均一化することができる。
【０００６】
しかし、各段の棚上栽培空間に対して横一側の多数吹出口から水平向きに空調空気を通風するため、また、各段の棚上栽培空間における横他側のみに天井排気口からの排気作用が及ぶため、棚上栽培空間の幅を大きくすると、各段の棚上栽培空間における温度の調整状態が水平方向（幅方向）において差のあるものになり、これが原因で栽培植物の生育に差が生じたり生育不良率が高くなるなどの問題があった。
【０００７】
また、上記した従来装置では、排気口が開口する栽培棚どうしの間の室内領域も空調対象の領域になるため、空調に要するエネルギや運転コストが嵩む問題もあった。
【０００８】
なお、多数の吹出口における空調空気の吹き出し風速を大きくすれば、上記した水平方向での温度調整状態の差は縮小することができるが、風速は植物の生育に大きな影響を与えるため吹き出し風速を大きくすることには限界があり、このことも、棚上栽培空間における温度の調整状態に水平方向での差が生じることの一因になっている。
【０００９】
この実情に鑑み、本発明の主たる課題は、合理的な給排気構造を採ることで上記の如き問題を効果的に解消する点にある。
【課題を解決するための手段】
【００１０】
本発明の第１特徴構成は、
棚上栽培空間に空間調整気体を供給する給気手段、及び、前記棚上栽培空間から空間内気体を排出する排気手段を備える植物栽培棚装置であって、
樹脂製の厚板状ブロック体で前記棚上栽培空間の天井部を形成し、
この厚板状ブロック体の面方向に延びる内部給気路及び内部排気路を前記厚板状ブロック体の内部に形成するとともに、
前記内部給気路と前記棚上栽培空間とを連通させる複数の天井給気孔、及び、前記内部排気路と前記棚上栽培空間とを連通させる複数の天井排気孔を、夫々、前記厚板状ブロック体の面方向に分散させて前記厚板状ブロック体に形成し、
前記給気手段は、前記内部給気路及び前記天井給気孔を通じて前記棚上栽培空間に空間調整気体を供給する構成にし、
前記排気手段は、前記内部排気路及び前記天井排気孔を通じて前記棚上栽培空間から空間内気体を排出する構成にしてある点にある。
【００１１】
この構成によれば、厚板状ブロック体により形成される天井部に分散させた複数の天井給気孔から空間調整気体を棚上栽培空間に供給するとともに、同じく天井部に分散させた複数の天井排気孔から棚上栽培空間の空間内気体を排出することにより、棚上栽培空間の状態を調整するから、棚上栽培空間の温度等の調整状態を水平方向において効果的に均一化することができ、これにより、棚上栽培空間での栽培植物の生育差や生育不良率を効果的に軽減することができる。
【００１２】
また、棚上栽培空間の周辺の温度状態などを不要に調整してしまうことも抑止することができて、棚上栽培空間の状態だけを集中的かつ効率的に調整することができ、これにより、その状態調整に要するエネルギや運転コストなども効果的に低減することができる。
【００１３】
そしてまた、棚上栽培空間の天井部を形成する樹脂製の厚板状ブロック体の内部に内部給気路と内部排気路とを並列的に形成するから、また、そのことで厚板状ブロック体を形成する樹脂材を内部給気路及び内部排気路の夫々に対する断熱層としても機能させることができるから、給気路と排気路とを各別のダクトで形成して、それらダクトの夫々を断熱処理した状態で延設するのに比べ、装置をコンパクトにして装置の必要設置スペースを小さくすることもでき、また、その分、棚上栽培空間を面積的に大きく確保して生産性を高めることもできる。
【００１４】
なお、この構成の実施において、棚上栽培空間に供給する空間調整気体は、給排気により棚上栽培空間に施す状態調整の内容に応じて種々の気体を採用することができる。
【００１５】
即ち、給排気により棚上栽培空間に施す状態調整は、冷房や暖房による温度調整、加湿や除湿による湿度調整、二酸化炭素ガスなどの栽培用ガスの濃度調整など、どのような内容であってもよく、また、その内容に応じて、棚上栽培空間に供給する空間調整気体としても、冷却気体、加熱気体、除湿気体、加湿気体など、どのような気体を採用してもよく、その気体種も空気に限らず、二酸化炭素ガスや二酸化炭素ガス富裕空気などの栽培用ガスであってもよい。
【００１６】
省エネルギ化を図るには、排気手段により棚上栽培空間から排出した空間内気体の一部又は全部を再び冷却などの必要処理を施した上で、空間調整気体として給気手段により棚上栽培空間に循環供給するのが望ましいが、場合によっては、棚上栽培空間から排出した空間内気体の全量を系外に排出して、空間調整気体を給気手段により棚上栽培空間に対して一過的に供給する装置構成にしてもよい。
【００１７】
本発明の第２特徴構成は、
前記厚板状ブロック体を下側板状部分と上側板状部分とからなる二分割構造にし、
この下側板状部分に前記天井給気孔及び前記天井排気孔を形成し、
前記下側板状部分と前記上側板状部分とを結合して前記厚板状ブロック体を形成することにより前記内部給気路となる給気路用溝を、前記下側板状部分と前記上側板状部分とのいずれか一方又は両方に形成するとともに、
前記下側板状部分と前記上側板状部分とを結合して前記厚板状ブロック体を形成することにより前記内部排気路となる排気路用溝を、前記下側板状部分と前記上側板状部分とのいずれか一方又は両方に形成してある点にある。
【００１８】
この構成によれば、下側板状部分又は上側板状部分に給気路用溝及び排気路用溝を形成するとともに、下側板状部分に天井給気孔及び天井排気孔を形成して、それら下側板状部分と上側板状部分とを結合するだけで、内部給気路及び内部排気路を内部に備える厚板状ブロック体を容易に形成することができ、これにより、樹脂材が一般に加工容易で軽量であることとも相俟って装置の製作を容易にすることができ、また、そのことで装置コストも安価にすることができる。
【００１９】
本発明の第３特徴構成は、
前記厚板状ブロック体が発泡樹脂材からなる点にある。
【００２０】
この構成によれば、発泡樹脂材（代表的には発泡スチロール）が多数の内部気泡により備える高い断熱性をもって、厚板状ブロック体の内部給気路及び内部排気路に対する断熱効果、並びに、棚上栽培空間に対する断熱効果を一層高めることができる。
【００２１】
また、多数の内部気泡を有する発泡樹脂材が一般に極軽量な樹脂材で、それにより形成する厚板状ブロック体が一層軽量になることで、装置の製作を一層容易にすることができる。
【００２２】
本発明の第４特徴構成は、
前記棚上栽培空間を設ける栽培棚を上下に複数段配設し、それら各段の栽培棚について、前記棚上栽培空間の天井部を前記厚板状ブロック体で形成し、
前記給気手段は、各段の栽培棚について前記厚板状ブロック体に形成した前記内部給気路及び前記天井給気孔を通じて前記棚上栽培空間に空間調整気体を供給する構成にし、
前記排気手段は、各段の栽培棚について前記厚板状ブロック体に形成した前記内部排気路及び前記天井排気孔を通じて前記棚上栽培空間から空間内気体を排出する構成にしてある点にある。
【００２３】
この構成によれば、第１特徴構成による作用効果を各段の栽培棚における棚上栽培空間ついて得ることができる。
【００２４】
そして、各段の栽培棚夫々について、天井部に分散させた天井給気孔及び天井排気孔により棚上栽培空間に対し給排気を行なって棚上栽培空間の状態を調整するから、各段の棚上栽培空間における温度などの調整状態を水平方向のみでなく上段側から下段側にわたって高さ方向でも効果的に均一化することができる。
【００２５】
また、各段の棚上栽培空間における栽培植物が異なるなどで各段の棚上栽培空間ごとに要求される調整状態が異なる場合には、それに応じて各段の棚上栽培空間ごとに調整状態を異ならせて各段の棚上栽培空間を要求の状態に調整することも可能であり、これらのことで、栽培植物の生育差や生育不良率を一層効果的に軽減することができる。
【００２６】
そしてまた、棚上栽培空間の天井部を形成する厚板状ブロック体を利用して、その内部に内部給気路及び内部排気路をコンパクトに形成するから、高さ方向での必要寸法の増大を回避することができ、これにより、上下の栽培棚段数も大きく確保することができる。
【００２７】
本発明の第５特徴構成は、
前記厚板状ブロック体の下面部に、断面形状が下拡がり形状で前記棚上栽培空間に向かって下向きに開口する下向き凹部を形成し、
この下向き凹部の内部に栽培照明灯を配置するとともに、この下向き凹部の内面に光反射層を設けてある点にある。
【００２８】
この構成によれば、厚板状ブロック体に形成した下向き凹部を照明反射板とする状態で、その下向き凹部の内部に配置した栽培照明灯の発生光（栽培用光）を下向き凹部内面の光反射層により反射させて棚上栽培空間を効率良く照明することができる。
【００２９】
そして、このように厚板状ブロック体に形成した下向き凹部を照明反射板とすることで、傘状の照明反射板を単体で棚上栽培空間の天井部に吊り下げ状態などで装備するのに比べ、揺れや外れ落ちのない安定的な照明反射板にすることができる。
【００３０】
また、照明反射板として機能させるとともに栽培照明灯の収容スペースとする下向き凹部を厚板状ブロック体に形成するから、例えば厚板状ブロック体の下方に照明器具を配置するのに比べ、照明器具の占有スペース分だけ、高さ方向での必要スペースも小さくすることができ、特に棚上栽培空間を設ける栽培棚を上下に複数段設ける場合には、栽培棚の段数をできるだけ多く確保する上で有利になる。
【００３１】
本発明の第６特徴構成は、
前記天井排気孔を前記下向き凹部の内部に開口させてある点にある。
【００３２】
この構成によれば、下向き凹部の内部において発生する栽培照明灯の発生熱を下向き凹部内に開口する天井排気孔から棚上栽培空間の空間内気体とともに速やかに排出することができ、これにより、棚上栽培空間の状態調整として棚上栽培空間を冷房する場合には、照明による冷房負荷を低減することができて、棚上栽培空間の状態調整（冷房）に要するエネルギや運転コストを一層低減することができる。
【００３３】
本発明の第７特徴構成は、
前記棚上栽培空間の床部に棚上栽培槽を設け、
前記棚上栽培空間の両側部夫々で前記棚上栽培槽の側縁部と前記厚板状ブロック体の側縁部とにわたる縦壁部材を設けて、前記棚上栽培空間をトンネル状の空間にしてある点にある。
【００３４】
この構成によれば、天井給気孔から棚上栽培空間に供給した空間調整気体の一部が棚上栽培空間の周囲に逸散すること（換言すれば、棚上栽培空間の周辺の温度状態などを不必要に調整してしまうこと）を、棚上栽培槽の側縁部と厚板状ブロック体の側縁部とにわたる縦壁部材により防止することができ、これにより、棚上栽培空間の状態だけを一層集中的かつ効率的に調整することができて、その状態調整に要するエネルギや運転コストをさらに効果的に低減することができる。
【００３５】
また、棚上栽培空間において栽培照明灯の発生光が縦壁部材により棚上栽培空間の内側へ反射することで、栽培照明灯の必要発光量を低減することもでき、この点でも必要エネルギや運転コストを低減することができる。
【００３６】
なお、この構成の実施において、縦壁部材を樹脂材（望ましくは発泡スチロールなどに代表される発泡樹脂材）で形成すれば、装置の製作を容易にするとともに、その縦壁部材を同じく樹脂製の厚板状ブロック体とともに棚上栽培空間に対する効果的な断熱層として機能させることもでき、棚上栽培空間の状態調整として棚上栽培空間に冷房ないし暖房を施す場合には、冷房負荷や暖房負荷を一層効果的に低減することもできる。
【００３７】
また、上記縦壁部材を開閉自在な構造や着脱自在な構造にして棚上栽培空間の点検やメンテナンスを容易に行えるようにしてもよい。
【００３８】
本発明の第８特徴構成は、
前記棚上栽培空間の床部に棚上栽培槽を設け、
この棚上栽培槽に供給する栽培養液を冷却又は加熱する熱源手段を設けるとともに、
前記給気手段により前記棚上栽培槽に供給する空間調整気体を熱媒液と熱交換させて冷却又は加熱する気液熱交換器を設け、
前記棚上栽培槽に栽培養液を供給する給液手段は、前記熱源手段により冷却又は加熱した栽培養液を前記熱媒液として前記気液熱交換器に通過させて空間調整気体と熱交換させ、この熱交換後の栽培養液を前記棚上栽培槽に供給する構成にし、
前記給気手段は、前記気液熱交換器で栽培養液と熱交換した後の空間調整気体を前記棚上栽培槽に供給する構成にしてある点にある。
【００３９】
この構成によれば、棚上栽培槽に供給する栽培養液の温度（給液温度）、及び、棚上栽培空間に供給する空間調整気体の温度（給気温度）の夫々について、栽培植物の生育に適した温度（即ち、棚上栽培槽内の養液や棚上栽培空間を栽培植物の生育に適した温度状態に保つことができる養液温度や気体温度）が栽培条件などにより異なるにしても、気液熱交換器での熱交換条件（例えば、栽培養液及び空間調整気体夫々の温度、流量、流速など）を状況に応じたものに設定にすれば、熱源手段により冷却又は加熱した栽培養液を先ず熱媒液として気液熱交換器に通過させることで、空間調整気体を気液熱交換器での栽培養液との熱交換により所要温度まで冷却又は加熱することができ、これにより、棚上栽培空間に供給する空間調整気体の温度（給気温度）を栽培植物の生育に適した温度（つまり、棚上栽培空間の調温負荷を処理して棚上栽培空間を栽培植物の生育に適した温度状態に保つことができる気体温度）に調整することができる。
【００４０】
また同時に、栽培養液を気液熱交換器での上記熱交換に伴い所要温度幅だけ温度変化させる（即ち、空間調整気体の冷却に伴い所要温度幅だけ温度上昇させる、又は、空間調整気体の加熱に伴い所要温度幅だけ温度降下させる）ことができ、これにより、棚上栽培槽に供給する栽培養液の温度（給液温度）も栽培植物の育成に適した温度（つまり、棚上栽培槽内の養液の調温負荷を処理して棚上栽培槽内の養液を栽培植物の生育に適した温度状態に保つことができる養液温度）に調整することができる。
【００４１】
そして、この構成であれば、栽培養液を気体調温用の熱媒液に兼用する形態を採るから、熱源手段については栽培養液を冷却又は加熱する熱源手段を設けるだけで済むとともに、調温用の熱交換器についても気体調温用の気液熱交換器を装備するだけで済み、また、熱源手段と調温用の熱交換器との接続も本来の養液用の配管で済ませることができる。
【００４２】
したがって、養液用の熱源手段と気体用の熱源手段とを各別に装備する場合に比べて、また、共通熱源手段に対し養液調温用の熱交換器と気体調温用の熱交換器とを並列的に接続する場合と比べても、装置の全体構成を効果的に簡素化及び小型化することができて、装置コストを大きく低減し得るとともに、装置設置に必要なスペースも大きく縮減することができる。
【００４３】
本発明の第９特徴構成は、
複数の前記厚板状ブロック体をその面方向で一列状に連ねて、前記棚上栽培空間を前記厚板状ブロック体ごとの栽培領域に区分し、
前記気液熱交換器を前記栽培領域ごとに設け、
前記給液手段は、前記熱源手段により冷却又は加熱した栽培養液を複数の前記気液熱交換器に対して並列的に分配供給する構成にし、
前記給気手段は、前記気液熱交換器の夫々において冷却又は加熱した空間調整気体を対応栽培領域に対する前記厚板状ブロック体の前記内部給気路及び前記天井給気孔を通じて対応栽培領域に供給する構成にしてある点にある。
【００４４】
この構成によれば、気液熱交換器を栽培領域ごとに装備するから、気液熱交換器で冷却又は加熱した空間調整気体の給気ダクトとして、気液熱交換器の夫々を対応栽培領域の厚板状ブロック体における内部給気路に接続する給気ダクトを施設するだけで済み、各栽培領域に空間調整気体を供給する給気ダクトを１つの気液熱交換器から棚上栽培空間の全長にわたって施設するのに比べ、給気ダクトの施設量を小さくすることができ、これにより、装置を一層コンパクトにすることができ、また、装置の製作も一層容易にすることができる。
【００４５】
そしてまた、１つの栽培領域分を装置の単位構成として、一列状に連ねる単位構成数を必要に応じて選択する製作形態を採ることで、棚上栽培空間の長さが異なる複数種の装置の製作を容易にすることもできる。
【００４６】
本発明の第１０特徴構成は、
前記棚上栽培槽を複数の前記栽培領域にわたらせて配設し、
前記給液手段は、前記気液熱交換器の夫々を通過した栽培養液を対応栽培領域において前記棚上栽培槽に供給する構成にしてある点にある。
【００４７】
この構成によれば、棚上栽培槽における各栽培領域の対応部分ごとに栽培養液を供給するから、新鮮な栽培養液を棚状栽培槽の各部に対し均等に供給することができ、これにより、棚上栽培空間における栽培植物に対し均等に養液効果を与えることができて、栽培植物の生育差や生育不良率を一層効果的に軽減することができる。
【００４８】
また、この構成によれば、前述の如く１つの栽培領域分を装置の単位構成として、一列状に連ねる単位構成数を必要に応じて選択する製作形態の採用も一層容易にすることができる。
【００４９】
本発明の第１１特徴構成は、
前記棚上栽培空間を設ける栽培棚を上下に複数段配設し、それら各段の栽培棚について前記棚上栽培空間を一列状に連ねた前記厚板状ブロック体ごとの前記栽培領域に区分し、
前記給気手段は、前記気液熱交換器の夫々において冷却又は加熱した空間調整気体を各段栽培棚の対応栽培領域に対する前記厚板状ブロック体の前記内部給気路及び前記天井給気孔を通じて各段栽培棚の対応栽培領域に分配供給する構成にし、
前記給液手段は、前記気液熱交換器の夫々を通過した栽培養液を各段栽培棚の対応栽培領域において各段栽培棚の前記棚上栽培槽に分配供給する構成にしてある点にある。
【００５０】
この構成によれば、棚上栽培空間を設ける栽培棚を上下に複数段配設する構成において、前述第９特徴構成による作用効果及び前述第１０特徴構成による作用効果を得ることができ、これにより、コンパクトで製作も容易でありながら棚上栽培空間を面積的に大きく確保できるとともに栽培植物の生育差や生育不良率も効果的に軽減することができる装置にすることができる。
【００５１】
本発明の第１２特徴構成は、
前記棚上栽培槽と前記厚板状ブロック体とがともに発泡樹脂材からなる点にある。
【００５２】
この構成によれば、棚上栽培空間の天井部を形成する厚板状ブロック体と、棚上栽培空間の床部を形成する棚上栽培槽とがともに軽量になることで、装置の製作を一層容易にすることができる。
【００５３】
また、厚板状ブロック体及び棚上栽培槽を発泡樹脂材により形成することで、それら天井側の厚板状ブロック体及び床側の棚上栽培槽を、その槽内栽培液及び棚上栽培空間に対する効果的な断熱層として機能させることができ、これにより、棚上栽培空間の状態調整として棚上栽培空間に冷房ないし暖房を施す場合に、冷房負荷や暖房負荷を一層効果的に低減することもできる。
【図面の簡単な説明】
【００５４】
【図１】植物栽培棚装置の斜視図
【図２】植物栽培棚装置の正面視断面図
【図３】植物栽培棚装置の分解斜視図
【図４】棚上栽培空間の天井部の分解斜視図
【図５】厚板状ブロック体の分解斜視図
【図６】植物栽培棚装置の平面視断面図
【図７】植物栽培棚装置の配管系統図
【発明を実施するための形態】
【００５５】
図１及び図２は植物栽培棚装置を示し、この装置では図３に示す如く、支柱１に各種の横フレーム２を横架して棚格子３を形成し、この棚格子３の上に棚上栽培槽４を載設して栽培棚５を構成してある。
【００５６】
栽培棚５は上下に複数段（図では３段）設けてあり、各段の栽培棚５において、棚上栽培槽４の上には棚上栽培空間６を確保し、この棚上栽培空間６の天井部には栽培照明灯７を装備してある。
【００５７】
棚上栽培槽４に貯留する栽培養液Ｌの液面上には栽培プレート８を配設してあり、この栽培プレート８に行列配置で形成した多数の栽培孔に栽培植物（図示省略）の根元部を挿入することで、レタスに代表される葉野菜などの多数の栽培植物を、それらの根元部が槽内の栽培養液Ｌに浸漬する状態にして栽培する。
【００５８】
栽培照明灯７を装備する棚上栽培空間６の天井部は、金具を介して上段の棚格子３に支持させた厚板状ブロック体９で形成してあり、棚上栽培空間６の両側部には棚上栽培槽４の側縁部と厚板状ブロック体９の側縁部とにわたる縦壁部材１０を設け、この縦壁部材１０により棚上栽培空間６の両側部を閉塞することで、棚上栽培空間６をトンネル状の空間にしてある。
【００５９】
棚上栽培空間６の床部を形成する棚上栽培槽４、棚上栽培空間６の天井部を形成する厚板状ブロック体９、並びに、棚上栽培空間６の両側部を閉塞する縦壁部材１０はいずれも発泡スチロールで形成してあり、これにより、これら棚上栽培槽４、厚板状ブロック体９、縦壁部材１０の製作加工並びに組み付けを容易にするとともに、発泡スチロールが備える高い断熱性をもって棚上栽培空間６に対する効果的な断熱効果を得ることができる。
【００６０】
栽培照明灯７については、厚板状ブロック体９の下面部（即ち、天井面部）に、横断面形状が伏椀状の下拡がり形状で棚上栽培空間６に向かって下向きに開口する溝状の下向き凹部１１を形成し、この溝状の下向き凹部１１の上底部に、その溝状構造の全長にわたらせて栽培照明灯７を配置してある。
【００６１】
この溝状の下向き凹部１１の内面には光反射層１１ａを設けてあり、これにより、下向き凹部１１を照明反射板とする形態で、栽培照明灯７の発生光のうち下向き凹部１１の内面に向うものを反射させて棚上栽培空間６を効率的に照明する。
【００６２】
栽培照明灯７は、下向き凹部１１の上底部近くで厚板状ブロック体９の下面部に埋没状態で沿わせた棒状フレーム１２に支持させてあり、この棒状フレーム１２は厚板状ブロック体９とともに金具を介して上段の棚格子３に支持させてある。
【００６３】
図２及び図４〜図６に示すように、天井部を形成する厚板状ブロック体９の内部には、櫛歯状に分岐して厚板状ブロック体９の面方向（本例では長手方向）に延びる複数の内部給気路１３、及び、同じく櫛歯状に分岐して厚板状ブロック体９の面方向に延びる複数の内部排気路１４を、平面視で噛み合せ状に交互配置して形成してあり、厚板状ブロック体９の一側面における長手方向一端部には、内部給気路１３の入口となる給気接続口１３ａを形成し、厚板状ブロック体９の他側面における長手方向他端部には、内部排気路１４の出口となる排気接続口１４ａを形成してある。
【００６４】
また、厚板状ブロック体９には、内部給気路１３と棚上栽培空間６とを連通させる複数の天井給気孔１３ｂ、及び、内部排気路１４と棚上栽培空間６とを連通させる複数の天井排気孔１４ｂの夫々を、厚板状ブロック体９の面方向に分散させて形成してある。
【００６５】
つまり、後述する気液熱交換器１５により冷却した空間調整空気Ｇ（空間調整気体の一例）を、給気接続口１３ａ、内部給気路１３，天井給気孔１３ｂを通じて天井部から均一に棚上栽培空間６に供給し、また、これに併行して棚上栽培空間６の空間内空気Ｇ′を、天井排気孔１４ｂ、内部排気路１４、排気接続口１４ａを通じて天井部から均一に排出し、これにより、棚上栽培空間６に対し集中的かつ均一に調温（冷房）を施して、棚上栽培空間６の全体を栽培植物の育成に適した均一な温度状態に調整する。
【００６６】
天井排気孔１４ｂは、栽培照明灯７を装備する下向き凹部１１の上底部で下向き凹部１１の内部に開口させてあり、これにより、栽培照明灯７の大量の発生熱を空間内空気Ｇ′とともに棚上栽培空間６から速やかに排出して棚上栽培空間６の調温負荷（冷房負荷）を効果的に軽減する。
【００６７】
図２、図３及び図７に示すように、空間調整空気Ｇを冷却する気液熱交換器１５は、空間調整空気Ｇを各段の棚上栽培空間６に供給する循環ファン１６とともに最下段の栽培棚５の下に配置し、この気液熱交換器１５の空気出口を、縦姿勢で各段の栽培棚５にわたる給気縦ダクト１７を通じて各段の厚板状ブロック体９における給気接続口１３ａに接続するとともに、この気液熱交換器１５の空気入口を、同じく縦姿勢で各段の栽培棚５にわたる排気縦ダクト１８を通じて各段の厚板状ブロック体９における排気接続口１４ａに接続してある。
【００６８】
つまり、気液熱交換器１５で冷却した空間調整空気Ｇの供給に伴い各段の棚上栽培空間６から排出される空間内空気Ｇ′を排気縦ダクト１８を通じて集合状態で気液熱交換器１５に戻して冷却し、この冷却空気を再び空間調整空気Ｇとして給気縦ダクト１７を通じ各段の棚上栽培空間６に分配供給するようにしてある。
【００６９】
即ち、本例において、循環ファン１６及び給気縦ダクト１７は、厚板状ブロック体９の内部給気路１３を通じて棚上栽培空間６に空間調整空気Ｇを供給する給気手段を構成する。
【００７０】
また、循環ファン１６及び排気縦ダクト１８は、厚板状ブロック体９の内部排気路１４を通じて棚上栽培空間６の空間内空気Ｇ′を排出する排気手段を構成する。
【００７１】
各段の棚上栽培空間６はトンネル状の空間にしてあるため、各段の棚上栽培空間６に供給した空間調整空気Ｇの外部への逸散は効果的に抑制され、これにより、各段の棚上栽培空間６だけを集中的かつ効率的に調温（冷房）することができて、その調温に要するエネルギや運転コストを効果的に低減することができる。
【００７２】
図４及び図５に示すように、厚板状ブロック体９は上側板状部分９ａと下側板状部分９ｂとからなる二分割構造にしてあり、上側板状部分９ａの分割面部（下面部）には、給気路用溝１３ｃと排気路用溝１４ｃとを形成してある。
【００７３】
また、下側板状部分９ｂの分割面部（上面部）には、同じく給気路用溝１３ｄと排気路用溝１４ｄとを形成するとともに、天井給気孔１３ｂ及び天井排気孔１４ｂを形成してあり、これら上側板状部分９ａと下側板状部分９ｂとを結合して厚板状ブロック体９を形成すると、それに伴い、上側板状部分９ａの給気路用溝１３ｃと下側板状部分９ｂの給気路用溝１３ｄとが合わさって内部給気路１３が厚板状ブロック体９の内部に形成されるとともに、上側板状部分９ａの排気路用溝１４ｃと下側板状部分９ｂの排気路用溝１４ｄとが合わさって内部排気路１４が厚板状ブロック体９の内部に形成される。
【００７４】
図１は植物栽培棚装置の単位構成Ｕ（換言すれば１ユニット）を示すものであり、図７に示すように、この単位構成Ｕを一列状に連ねて複数配置することで所要長の植物栽培棚装置を構築する。
【００７５】
そして、この場合、複数の厚板状ブロック体９が装置長手方向に一列状に連なる装置構成となることで、装置の全長にわたって連続する各段の棚上栽培空間６も形式的には厚板状ブロック体９ごとの栽培領域６ａに区分され、それら栽培領域６ａごとに、気液熱交換器１５、循環ファン１６、給気縦ダクト１７、排気縦ダクト１８からなる給排気システムを配備した装置構成になる。
【００７６】
図７において、１９は各段の棚上栽培槽４に供給する栽培養液Ｌを冷却する熱源側熱交換器であり、この熱源側熱交換器１９では、冷凍機２０との間での冷水循環路２１を通じた冷水循環おいて冷凍機２０から供給される低温冷水Ｃと、還液路２２を通じて各段の棚上栽培槽４から戻る栽培養液Ｌ′とを熱交換させて、その栽培養液Ｌ′を所定温度ｔｏ（熱源側出口温度）まで冷却する。
【００７７】
還液路２２には、補給水路２３及び補給液路２４を接続した補給槽２５を介装してあり、この補給槽２５において、各段の棚上栽培槽４から戻る栽培養液Ｌ′に対し、所要量の水Ｗを補給水路２３から補給するとともに所要量の原養液ＬＬを補給液路２４から補給することで、常時一定濃度の栽培養液Ｌを各段の棚上栽培槽４に供給する。
【００７８】
熱源側熱交換器１９で冷却した栽培養液Ｌは定水量型の循環ポンプ２６により主給液路２７を通じて栽培領域６ａごとの気液熱交換器１５に分配送給し、これら気液熱交換器１５では、対応の排気縦ダクト１８を通じて各段棚上栽培空間６の対応栽培領域６ａから戻る空間内空気Ｇ′を、主給液路２７から供給される冷却後の栽培養液Ｌと対向流方式で熱交換させて所定温度ｔｇｉまで冷却し、この冷却空気を空間調整空気Ｇとして対応の給気縦ダクト１７を通じて各段棚上栽培空間６の対応栽培領域６ａに供給する。
【００７９】
また、栽培領域６ａごとの気液熱交換器１５の夫々を通過した熱交換後の栽培養液Ｌ（即ち、空間調整空気Ｇとの熱交換で熱源側出口温度ｔｏから所定温度幅Δｔだけ昇温した栽培養液）は、栽培領域６ａごとの縦給液路２８を通じて各段棚上栽培空間６の対応栽培領域６ａにおいて各段の棚上栽培槽４に分配供給する。
【００８０】
即ち、循環ポンプ２６、主給液路２７、並びに、上記栽培領域６ａごとの縦給液路２８は棚上栽培槽４に栽培養液Ｌを供給する給液手段を構成する。
【００８１】
各段の棚上栽培槽４には、棚上栽培槽４の液位を所定液位に保つオーバーフロー排液口２９を装置長手方向の一端部に配置して装備してあり、各段の棚上栽培空間６において上記の如く栽培領域６ａごとに栽培養液Ｌを棚上栽培槽４に供給するのに伴い、各段の棚上栽培槽４における槽内の栽培養液Ｌ′は各段のオーバーフロー排液口２９へオーバーフローにより流出させ、これら各段のオーバーフロー排液口２９から排出される栽培養液Ｌ′を還液路２２を通じて熱源側熱交換器１９に戻すようにしてある。
【００８２】
つまり、この植物栽培棚装置であれば、各気液熱交換器１５における熱交換条件（例えば、栽培養液Ｌ及び空間調整空気Ｇ夫々の温度、流量、流速など）を栽培条件や調温負荷などに応じて設定しておくことで、それら気液熱交換器１５での栽培養液Ｌと空間調整空気Ｇとの熱交換をもって、各段の棚上栽培空間６に供給する空間調整空気Ｇの温度ｔｇｉ（給気温度）を、栽培植物の生育に適した温度（即ち、各段の棚上栽培空間６の調温負荷を処理して各段の棚上栽培空間６を栽培植物の生育に適した温度状態に保ち得る空気温度）に調整すると同時に、各段の棚上栽培槽４に供給する栽培養液Ｌの温度ｔｉ［＝ｔｏ＋Δｔ］（給液温度）も、栽培植物の生育に適した温度（即ち、各段の棚上栽培槽４内における養液Ｌの調温負荷を処理して各段の棚上栽培槽４内における養液Ｌを栽培植物の生育に適した温度状態に保ち得る養液温度）に調整することができる。
【００８３】
そして、熱源側熱交換器１９で冷却した栽培養液Ｌを気液熱交換器１５での空間調整空気Ｇの冷却に用いて、栽培養液Ｌを空間調整空気Ｇに対する冷却用熱媒液として兼用する形態を採ることで、また、熱源側熱交換器１９及び冷凍機２０からなる養液用の熱源手段Ｎを空間調整空気Ｇに対する空気用の熱源手段に兼ねる形態を採ることで、装置構成の効果的な簡素化及び小型化を可能にしている。
【００８４】
なお、レタスなどの一般葉野菜を栽培する場合、気液熱交換器１５に供給する栽培養液Ｌの熱源側出口温度ｔｏ、及び、気液熱交換器１５での熱交換による栽培養液Ｌの温度上昇幅Δｔ（＝ｔｉ−ｔｏ）の好適な設計値例としては、ｔｏ＝１０℃〜１４℃，Δｔ＝３℃ｄｅｇ〜７℃ｄｅｇ、最も望ましくはｔｏ＝１２℃，Δｔ＝５℃を挙げることができる。
【００８５】
３０は各段の棚上栽培空間６における温度ｔｒを検出する温度センサ、Ｖは冷凍機２０から熱源側熱交換器１９に供給する冷水Ｃの流量を調整して熱源側熱交換器１９の冷却出力を調整するための流量調整弁、３１は各段の温度センサ３０による検出温度ｔｒに基づき流量調整弁Ｖを操作する制御装置である。
【００８６】
そして、この制御装置３１は、各段の温度センサ３０による検出温度ｔｒに基づき流量調整弁Ｖの操作して熱源側熱交換器１９の冷却出力を調整することで、気液熱交換器１５に供給する栽培養液Ｌの熱源側出口温度ｔｏを調整し、この熱源側出口温度ｔｏの調整により、各段の棚上栽培空間６における温度ｔｒを平均的に設定空間温度ｔｒｓ（つまり、栽培植物の生育に適した空間温度として設定された温度）に調整するよう動作する構成にしてある。
【００８７】
なお、この制御装置３１は、擬似夜間としての照明消灯時と擬似昼間としての照明点灯時とで設定空間温度ｔｒｓを自動的に変更し、そのことで栽培植物に対し光と温度との両面から昼夜を擬似体験させるものにしてもよい。
【００８８】
また、栽培植物の生育状態に応じて設定空間温度ｔｒｓを自動的に変更するものにしてもよい。
【００８９】
〔別実施形態〕
上述の実施形態では、厚板状ブロック体９を棚上栽培槽４及び縦壁部材１０とともに発泡スチロールで形成する例を示したが、本発明の実施において、厚板状ブロック体９の形成材としては、発泡スチロールに限らず種々の樹脂材を用いることができる。
【００９０】
上述の実施形態では、厚板状ブロック体９を二分割構造にして、分割部分に給気路用溝１３ｃ，１３ｄ及び排気路用溝１４ｃ，１４ｄを形成しておくことで、内部給気路１３及び内部排気路１４を形成する例を示したが、これに代え、穿孔加工により樹脂製の厚板状ブロック体９に内部給気路１３及び内部排気路１４を形成したり、厚板状ブロック体９の樹脂成型の際に内部給気路１３及び内部排気路１４を形成するようにしてもよい。
【００９１】
上述の実施形態では、棚上栽培空間６を１つの厚板状ブロック体９ごとの栽培領域６ａに区分する例を示したが、これに代え、棚上栽培空間６を装置長手方向に連なる複数の厚板状ブロック体９ごとの栽培領域６ａに区分するようにしてもよい。
【００９２】
上述の実施形態では、複数の栽培領域６ａにわたる棚上栽培槽４の長手方向における端部からのみオーバーフロー排液口２９を通じて栽培養液Ｌを排出するようにしたが、棚上栽培槽４に対して栽培領域６ａごとに栽培養液Ｌを供給するのに対応させて、棚上栽培槽４における栽培養液Ｌを栽培領域６ａごとに排出するようにしてもよい。
【００９３】
また、棚上栽培槽４を複数の栽培領域６ａにわたる一連の槽にするのに代え、棚上栽培槽４を栽培領域６ａごとに独立した槽にしてもよい。
【００９４】
空間調整気体Ｇの供給による棚上栽培空間６の状態調整は、冷房や暖房などの温度調整、加湿や除湿などの湿度調整、二酸化炭素ガスなどの栽培用特定ガスの濃度調整など、どのような内容であってもよく、その調整内容に応じて、棚上栽培空間に供給する空間調整気体としても、冷却気体、加熱気体、除湿気体、加湿気体など、どのような気体を採用してもよい。
【００９５】
また、その気体種も空気に限らず、二酸化炭素ガスや二酸化炭素富裕空気などの栽培用ガスであってもよい。
【００９６】
本発明による植物栽培棚装置は、前述の実施形態の如き上下複数段の棚構造のものに限らず、棚上栽培空間６を一段だけ備えるものであってもよい。
【産業上の利用可能性】
【００９７】
本発明による植物栽培棚装置は種々の植物の棚栽培に使用することができる。
【符号の説明】
【００９８】
６                棚上栽培空間
Ｇ                空間調整気体
１６，１７        給気手段
Ｇ′              空間内気体
１６，１８        排気手段
９                厚板状ブロック体
１３              内部給気路
１４              内部排気路
１３ｂ            天井給気孔
１４ｂ            天井排気孔
９ａ              上側板状部分
９ｂ              下側板状部分
１３ｃ，１３ｄ    給気路用溝
１４ｃ，１４ｄ    排気路用溝
５                栽培棚
１１              下向き凹部
７                栽培照明灯
１１ａ            光反射層
４                棚上栽培槽
１０              縦壁部材
Ｌ                栽培養液
Ｎ                熱源手段
１５              気液熱交換器
２６〜２８        給液手段
６ａ              栽培領域
【図１】
0005696848.tif 000002
【図２】
0005696848.tif 000003
【図３】
0005696848.tif 000004
【図４】
0005696848.tif 000005
【図５】
0005696848.tif 000006
【図６】
0005696848.tif 000007
【図７】
0005696848.tif 000008